(57)【要約】【課題】細くて軽く、屈曲、伸張に対して高い耐久性を有するケーブル、多芯ケーブルを提供する。【解決手段】絶縁体１４は硬さがＨＳ８０で、厚さ寸法は０．１８ｍｍに設定されているため、コアケーブル２に対し曲げる力が加わると緩やかなカーブを描くように曲がる。従って、局部的な屈折を繰り返すようなことはなく断線を確実に防止することが可能である。更に、コアケーブル２には抗張力繊維によって構成された介装体が設けられておらず、導体１２は凹凸のない合成樹脂製の絶縁体１４に接触しているので、コアケーブル２が屈曲して導体１２が進行後退しても絶縁体１４に引っ掛かってしまうことはない。従って、導体１２の撚りピッチが崩れて断線するのを完全に防止することができる。【選択図】        図３
2014002919.tif 000002
【特許請求の範囲】
【請求項１】
導体と、前記導体の周囲を覆う絶縁体とを備えるケーブルにおいて、前記絶縁体が硬い材料で形成され、前記絶縁体の厚さ寸法が小さいことを特徴とするケーブル。
【請求項２】
請求項１に記載されたケーブルにおいて、前記絶縁体の硬さはＨＳ７０〜９０で、厚さ寸法が０．１４〜０．２２ｍｍであることを特徴とするケーブル。
【請求項３】
請求項１または２に記載されたケーブルにおいて、前記導体は抗張力繊維に巻きつけられた構成であることを特徴とするケーブル。
【請求項４】
請求項１から３のいずれかに記載されたケーブルが複数本撚り合わされ、前記撚り合わされた複数のケーブルがシースに被覆されていることを特徴とする多芯ケーブル。
【請求項５】
請求項４に記載された多芯ケーブルは、螺旋形状を為すカールコードであることを特徴とする多芯ケーブル。
【発明の詳細な説明】
【技術分野】
【０００１】
本発明はケーブル、このケーブルを複数備えた多芯ケーブルに係り、特に高頻度の屈曲、伸張に対しても高い耐久性を有するケーブル、多芯ケーブルに関するものである。
【背景技術】
【０００２】
電気的接続を行うためのケーブルは導体をポリ塩化ビニル（以下、ＰＶＣという。）等から成る絶縁体によって被覆することによって構成されている。ＰＶＣは柔軟性が高く、比較的安価であることからケーブルの絶縁体に広く使用されている。
複数のケーブル（以下、コアケーブルという。）が撚り合され、これをシースによって被覆して成るものが多芯ケーブルであり、多芯ケーブルには特許文献１に記載されたものがある。
【０００３】
多芯ケーブルの一種には螺旋状を為すカールコードがあり、このカールコードは携帯無線機の本体とマイクとの接続などに広く使用される。カールコードは頻繁に伸縮させられることを想定して製作されたものであり、各コアケーブルは抗張力繊維から成る中心糸に導体素線を螺旋状に巻き付け、これをＰＶＣから成る絶縁体で被覆することによって構成されている。
【０００４】
携帯無線機のカールコードは、マイクを本体から外して、また元に戻す度に伸縮し、カールコードが伸縮する度に、各コアケーブルは伸張、屈曲を繰り返すことになる。また、携帯無線機の本体とカールコードとの接続部分等においては、コアケーブルが高い頻度で局部的に屈曲する。
このように、カールコード等に備えられるコアケーブルは伸長、屈曲を繰り返すことになるため、特に携帯無線機等に用いられるカールコードに備えられるコアケーブルは数万回〜数十万回の屈曲に耐える耐久性が要求される。このため、ＰＶＣ製の絶縁体を厚くして耐久性を向上させている。この絶縁体は硬度がＨＳ６０〜７０で、厚さ寸法が０．５０ｍｍである。
【０００５】
なお、図６、図７に示すコアケーブル４９のように、中心糸５０に巻きつけられた導体素線５１と絶縁体５２との間に抗張力繊維によって構成される介装体５３を備えたものもある。この介装体５３によってコアケーブル４９の引張り強度を高めている。
上記のようにコアケーブルは、その屈曲、伸長に対する耐久性を向上させようとすれば、絶縁体を厚くしたり、介装体を備えたりしなければならず、ケーブルが太くなってしまい、これに伴い多芯ケーブルも太くなる。
【先行技術文献】
【特許文献】
【０００６】
【特許文献１】特開平９−２４５５３６号公報
【発明の概要】
【発明が解決しようとする課題】
【０００７】
しかしながら、近年において、携帯無線機等は音声通信のみならず、ＧＰＳ等の信号の授受を行うなど複数の機能が備えられて多機能化しており、カールコードが備えるコアケーブルの数が増加している。従って、カールコードが太く、重くなってしまうという問題がある。
コアケーブルの絶縁体を単に薄くするだけでは、屈曲、伸長に対する耐久性が低下してしまうという問題が発生してしまうことになる。
本発明は上記従来の問題点に着目してなされたものであり、細くて軽く、しかも屈曲、伸張に対して高い耐久性を有するケーブル、多芯ケーブルの提供を、その目的とする。
【課題を解決するための手段】
【０００８】
本発明は上記課題を解決するためになされたものであり、請求項１の発明は、導体と、前記導体の周囲を覆う絶縁体とを備えるケーブルにおいて、前記絶縁体が硬い材料で形成され、前記絶縁体の厚さ寸法が小さいことを特徴とするケーブルである。
【０００９】
請求項２の発明は、請求項１に記載されたケーブルにおいて、前記絶縁体の硬さはＨＳ７０〜９０で、厚さ寸法が０．１４〜０．２２ｍｍであることを特徴とするケーブルである。
【００１０】
請求項３の発明は、請求項１または２に記載されたケーブルにおいて、前記導体は抗張力繊維に巻きつけられた構成であることを特徴とするケーブルである。
【００１１】
請求項４の発明は、請求項１から３のいずれかに記載されたケーブルが複数本撚り合わされ、前記撚り合わされた複数のケーブルがシースに被覆されていることを特徴とする多芯ケーブルである。
【００１２】
請求項５の発明は、請求項４に記載された多芯ケーブルは、螺旋形状を為すカールコードであることを特徴とする多芯ケーブルである。
【発明の効果】
【００１３】
本発明のケーブルによれば、細くて軽く、屈曲、伸張に対して高い耐久性を発揮することができる。
【図面の簡単な説明】
【００１４】
【図１】本発明の実施の形態に係る多芯ケーブルの斜視図である。
【図２】図１の多芯ケーブルの内部構造を説明する断面図である。
【図３】図１の多芯ケーブルに内蔵される１本のコアケーブルを示す斜視図である。
【図４】図１の多芯ケーブルに備えられるコアケーブルの内部構造を説明する断面図である。
【図５】図４のコアケーブルの耐屈曲性を示す図である。
【図６】従来の多芯ケーブルに内蔵される１本のコアケーブルを示す斜視図である。
【図７】図６のコアケーブルの内部構造を説明する断面図である。
【発明を実施するための形態】
【００１５】
本発明の実施の形態に係るケーブルを図面にしたがって説明する。
符号１は多芯ケーブルとしてのカールコードを示し、このカールコード１は螺旋形状を為している。カールコード１は携帯用無線機等に使用される。
カールコード１の構成について説明する。
符号２はケーブルとしてのコアケーブルを示し、このコアケーブル２は１２本備えられており、それぞれ異なる信号を授受するようになっている。図２に示すように、１２本のコアケーブル２とポリエステル糸等の補強糸３とが撚り合わされており、このコアケーブル２と補強糸３とが撚り合わされたものの外周には薄いテープ状の布帛状物５が巻き付けられている。そして、この布帛状物５の外周には導体によって構成された網目状のシールド体６が備えられ、さらにシールド体６は電気的絶縁性合成樹脂によって構成されるシース７で被覆されている。
【００１６】
次に、コアケーブル２の構成について説明する。
図３、４に示すように、符号１１は抗張力繊維で構成された中心糸を示し、この中心糸１１には導体１２が巻き付けられている。導体１２はごく細い多数の導体素線によって構成されている。この導体１２は合成樹脂で形成された絶縁体１４で被覆されている。
【００１７】
この絶縁体１４はポリエステルやポリプロピレン、フッ素系樹脂等によって構成されており、絶縁体１４の硬さはＨＳ８０である。また、絶縁体１４の厚さ寸法は０．１８ｍｍである。
以上のように、このコアケーブル２は、絶縁体１４の厚さ寸法が小さく、しかも介装体５３を備えていないので、従来のコアケーブル４９よりも細く軽くすることができる。
【００１８】
絶縁体１４は上述のように硬さがＨＳ８０に設定されているため、図５に示すようにコアケーブル２に対し曲げる力が加わると緩やかなカーブを描くように曲がる。従って、局部的な屈折を繰り返すようなことはなく断線を防止することが可能である。
【００１９】
更に、コアケーブル２には従来のコアケーブル４９と異なり、抗張力繊維によって構成された介装体が設けられておらず、導体１２は凹凸のない合成樹脂製の絶縁体１４に接触しているので、コアケーブル２が屈曲して、導体１２が進行後退しても絶縁体１４に引っ掛かってしまうことはない。従って、導体１２の撚りピッチが崩れて断線するのを完全に防止することができる。
【００２０】
また、この絶縁体１４は上記した硬さを有するので、図３において矢印で示すように外部から衝撃を受けても絶縁体１４が殆ど変形することはなく、中心の導体１２に衝撃が伝わるのを防止できる。従って、導体１２を十分保護することが可能である。
【００２１】
さらに、絶縁体１４は上記のように硬い材料によって構成されているため、導体１２と絶縁体１４との間に介装体を備えていなくても、コアケーブル２は長手方向の伸張に対し十分な強度を有している。
【００２２】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、絶縁体１４の厚さ寸法は０．１８ｍｍとしたが、０．１４〜０．２２ｍｍの範囲で調整できる。また、硬度も上記実施の形態ではＨＳ８０としたが、ＨＳ７０〜９０の範囲で調整できる。
図２では本発明のカールコード１はコアケーブル２が１２本撚り合わせたものであったが、無線機等の機能に応じて１３本でも、１５本でも、それ以上でもよい。
また、本発明はカールコードだけなく、直線状のケーブルに適用してもよいのは勿論である。
上記実施の形態では、導体１２を多数の導体素線によって構成したが、本発明はこれに限定されず、伸縮性のある１本乃至数本の素線によって構成することも可能である。
【産業上の利用可能性】
【００２３】
携帯無線機や電話機に使用されるケーブル、このケーブルを有するカールコード等の多芯ケーブルの製造業に利用可能性をもつ。
【符号の説明】
【００２４】
１…カールコード      ２…コアケーブル      ３…補強糸      ５…布帛状物
６…シールド体      ７…シース      １１…中心糸      １２…導体
１４…絶縁体
【図１】
2014002919.tif 000003
【図２】
2014002919.tif 000004
【図３】
2014002919.tif 000005
【図４】
2014002919.tif 000006
【図５】
2014002919.tif 000007
【図６】
2014002919.tif 000008
【図７】
2014002919.tif 000009